(57)【特許請求の範囲】
【請求項１】
アナログのビデオ信号をデジタルに変換してＬＣＤパネル駆動回路に送るＡ／Ｄ変換回路へ供給するサンプリングクロックの周波数および位相を調整するサンプリング周波数・位相調整方法であって、
前記サンプリングクロックの位相の複数の候補値を用意し、各候補値について前記サンプリングクロックの周波数の適正値を所定探索範囲内で探索し、適正値が見つかればその適正値と候補値とを取得し、それら取得した候補値が最も長く連続している位相範囲の中間の候補値を位相として決定し、それに対応する適正値を前記サンプリングクロックの周波数として決定することを特徴とするサンプリング周波数・位相調整方法。
【請求項２】
アナログのビデオ信号をデジタルに変換してＬＣＤパネル駆動回路に送るＡ／Ｄ変換回路へ供給するサンプリングクロックの周波数および位相を、次の（ａ）から（ｇ）の手順によって決定することを特徴とするサンプリング周波数・位相調整方法。
（ａ）サンプリングクロックの周波数をある初期値に設定する。
（ｂ）サンプリングクロックの位相をある候補値に設定する。
（ｃ）水平表示期間内の前記サンプリングクロックの数をカウントし、そのカウント値が目標値に一致したか否かを判定する。
（ｄ）第１の所定回数だけ連続して一致するか、第２の所定回数まで一致しなくなるまで、上記（ｃ）を繰り返す。但し、前記カウント値が目標値と一致しなければ、次回の上記（ｃ）を行う前に、目標値に近づける方向に前記サンプリングクロックの周波数を変更する。
（ｅ）第１の所定回数だけ連続して一致したときのサンプリングクロックの周波数および位相を記憶する。
（ｆ）サンプリングクロックの位相の全ての候補値について、上記（ｃ）から（ｅ）を繰り返す。
（ｇ）一致した位相が最も長く連続している位相範囲の中間の位相とそれに対応するサンプリング周波数を選択し決定する。
【請求項３】
アナログのビデオ信号をデジタルに変換してＬＣＤパネル駆動回路（Ａ）に送るＡ／Ｄ変換回路（Ｃ）へ供給するサンプリングクロック（Ｋ）を発生するサンプリングクロック発生手段（４）と、水平表示期間内のサンプリングクロック数（ＨＤ）をカウントする水平表示期間カウンタ（８）と、サンプリングクロック（Ｋ）の位相φの複数の候補値のそれぞれについて前記サンプリングクロック（Ｋ）の周波数の適正値を所定探索範囲内で探索し適正値が見つかればその適正値と候補値とを取得しそれら取得した候補値が最も長く連続している位相範囲の中間の候補値を位相として決定しそれに対応する適正値を前記サンプリングクロックの周波数として決定するサンプリングクロック制御手段（５）とを具備したことを特徴とするサンプリング周波数・位相調整装置。
【請求項４】
アナログのビデオ信号をデジタルに変換してＬＣＤパネル駆動回路（Ａ）に送るＡ／Ｄ変換回路（Ｃ）へ供給するサンプリングクロック（Ｋ）を発生するサンプリングクロック発生手段（４）と、水平表示期間内のサンプリングクロック数（ＨＤ）をカウントする水平表示期間カウンタ（８）と、次の（ａ）から（ｇ）の手順によって前記サンプリングクロック（Ｋ）の周波数と位相とを決定するサンプリングクロック制御手段（５）とを具備したことを特徴とするサンプリング周波数・位相調整装置。
（ａ）サンプリングクロックの周波数をある初期値に設定する。
（ｂ）サンプリングクロックの位相をある候補値に設定する。
（ｃ）水平表示期間内の前記サンプリングクロックの数をカウントし、そのカウント値が目標値に一致したか否かを判定する。
（ｄ）前記カウント値が目標値と一致しなければ、目標値に近づける方向に前記サンプリングクロックの周波数を変更し、上記（ｃ）を繰り返す。所定回数繰り返しても一致しなければ、（ｆ）へ進む。
（ｅ）一致したときのサンプリングクロックの周波数および位相を記憶し、（ｆ）へ進む。
（ｆ）サンプリングクロックの位相の全ての候補値について、上記（ｃ）から（ｅ）を繰り返す。
（ｇ）一致した位相が最も長く連続している位相範囲の中間の位相とそれに対応するサンプリング周波数を選択し決定する。
【請求項５】
ＬＣＤパネルと、ＬＣＤパネル駆動回路と、アナログのビデオ信号をデジタルに変換して前記ＬＣＤパネル駆動回路に送るＡ／Ｄ変換回路と、請求項３または請求項４に記載のサンプリング周波数・位相調整装置とを具備したことを特徴とするＬＣＤ装置。
【発明の詳細な説明】
【０００１】
【発明の属する技術分野】
本発明は、サンプリング周波数・位相調整方法、サンプリング周波数・位相調整装置およびＬＣＤ（Ｌｉｑｕｉｄ  Ｃｒｙｓｔａｌ  Ｄｉｓｐｌａｙ）装置に関し、さらに詳しくは、ＬＣＤ装置におけるサンプリング周波数および位相を短時間で最適化することが出来るサンプリング周波数・位相調整方法、サンプリング周波数・位相調整装置およびそのサンプリング周波数・位相調整装置を備えたＬＣＤ装置に関する。
【０００２】
【従来の技術】
図８は、従来のＬＣＤ装置におけるサンプリング周波数・位相調整装置の一例を示す構成図である。
このサンプリング周波数・位相調整装置５００は、例えばパソコンから送られたアナログのビデオ信号ＶＤをデジタルのビデオ信号に変換するＡ／Ｄ変換器Ｃへ供給するサンプリングクロックＫを発生するＰＬＬ（Ｐｈａｓｅ−Ｌｏｃｋｅｄ  Ｌｏｏｐ）部４と、そのＰＬＬ部４が内蔵するプリスケーラ３にプリスケーラ値ｐを設定すると共にサンプリングクロックＫの位相φを設定するサンプリングクロック制御部５１と、図９の（ａ）に示す水平周期Ｔｈを計測すると共に図９の（ｂ）に示す水平表示期間（水平走査期間内で画像表示に有効な波形期間）Ｔｄを計測する「水平周期および水平表示期間計測部」５２とを具備して構成されている。
ＬＣＤ装置は、ＬＣＤパネルＰと、ＬＣＤパネル駆動回路Ａと、Ａ／Ｄ変換器Ｃと、上記サンプリング周波数・位相調整装置５００とを具備して構成される。
【０００３】
上記サンプリング周波数・位相調整装置５００の動作は、次の（１）〜（５）の通りである。
（１）サンプリングクロック制御部５１は、水平同期周波数ｆｈおよび垂直同期周波数ｆｖに対応する水平解像度ｉを取得する。例えば、水平同期周波数ｆｈが３５．１ｋＨｚ，垂直同期周波数ｆｖが５６Ｈｚのときの水平解像度ｉは“８００”である。
（２）サンプリングクロック制御部５１は、前記水平周期Ｔｈおよび前記水平表示期間Ｔｄを取得する。そして、プリスケーラ値ｐの初期値を、ｐ＝ｉ×｛Ｔｈ／Ｔｄ｝により算出し、前記ＰＬＬ部４に設定する。例えば、水平解像度ｉが８００，水平周期Ｔｈが２８．４９μｓ，水平表示期間Ｔｄが２２．７９２μｓのとき、ｐ＝１０００となる。なお、前記ＰＬＬ部４は、前記水平周期Ｔｈの期間内に、プリスケーラ値ｐの回数分だけサンプリングクロックＫを発生するが、Ａ／Ｄ変換器Ｃがエッジサンプリングを行う関係上、水平表示期間Ｔｄ内のサンプル数が水平解像度ｉと等しくなることは保証されない。
（３）サンプリングクロック制御部５１は、前記水平表示期間Ｔｄ内のサンプリングクロック数ＨＤをカウントする。サンプリングクロック数ＨＤが前記水平解像度ｉと異なれば、新たなプリスケーラ値ｐをｐ＝ｐ’×｛ｉ／ＨＤ｝により算出し、前記ＰＬＬ部４に設定し直す。ｐ’は、設定し直す前のプリスケーラ値である。例えば、ｐ’が１０００で、水平解像度ｉが８００で、サンプリングクロック数ＨＤが“８０１”のとき、ｐ＝９９８となる。
（４）新たなプリスケーラ値ｐに設定し直した後でも、前記サンプリングクロック数ＨＤが前記水平解像度ｉと異なれば、上記（３）の処理を繰り返して、プリスケーラ値ｐを再び設定し直す。
（５）プリスケーラ値ｐの再設定を規定回数だけ行った後でも前記サンプリングクロック数ＨＤが前記水平解像度ｉと異なれば、サンプリングクロックＫの位相を微小量だけ順にずらせるように位相φを設定する。そして、この操作を繰り返し、前記サンプリングクロック数ＨＤが前記水平解像度ｉと等しくなったときのプリスケーラ値ｐおよび位相φを適値として決定する。
【０００４】
【発明が解決しようとする課題】
上記従来のサンプリング周波数・位相調整装置５００では、水平表示期間Ｔｄ内のサンプリングクロック数ＨＤを水平解像度ｉと等しくするように調整し、水平表示期間Ｔｄ内のサンプリングクロック数ＨＤが水平解像度ｉと等しくなったときのサンプリング周波数・位相を適値として決定している。
しかし、この方式では、使用する値として、最適のサンプリング周波数および位相を決定するまでに時間が長くかかる場合がある問題点があった。
そこで、本発明の目的は、最適なサンプリング周波数および位相を短時間で決定することが出来るサンプリング周波数・位相調整方法、サンプリング周波数・位相調整装置およびＬＣＤ装置を提供することにある。
【０００５】
【課題を解決するための手段】
第１の観点では、本発明は、アナログのビデオ信号をデジタルに変換してＬＣＤパネル駆動回路に送るＡ／Ｄ変換回路へ供給するサンプリングクロックの周波数および位相を調整するサンプリング周波数・位相調整方法であって、前記サンプリングクロックの位相の複数の候補値を用意し、各候補値について前記サンプリングクロックの周波数の適正値を所定探索範囲内で探索し、適正値が見つかればその適正値と候補値とを取得し、それら取得した候補値が最も長く連続している位相範囲の中間の候補値を位相として決定し、それに対応する適正値を前記サンプリングクロックの周波数として決定することを特徴とするサンプリング周波数・位相調整方法を提供する。
【０００６】
第２の観点では、本発明は、アナログのビデオ信号をデジタルに変換してＬＣＤパネル駆動回路に送るＡ／Ｄ変換回路へ供給するサンプリングクロックの周波数および位相を、次の（ａ）から（ｇ）の手順によって決定することを特徴とするサンプリング周波数・位相調整方法を提供する。
（ａ）サンプリングクロックの周波数をある初期値に設定する。
（ｂ）サンプリングクロックの位相をある候補値に設定する。
（ｃ）水平表示期間内の前記サンプリングクロックの数をカウントし、そのカウント値が目標値に一致したか否かを判定する。
（ｄ）第１の所定回数だけ連続して一致するか、第２の所定回数まで一致しなくなるまで、上記（ｃ）を繰り返す。但し、前記カウント値が目標値と一致しなければ、次回の上記（ｃ）を行う前に、目標値に近づける方向に前記サンプリングクロックの周波数を変更する。
（ｅ）第１の所定回数だけ連続して一致したときのサンプリングクロックの周波数および位相を記憶する。
（ｆ）サンプリングクロックの位相の全ての候補値について、上記（ｃ）から（ｅ）を繰り返す。
（ｇ）一致した位相が最も長く連続している位相範囲の中間の位相とそれに対応するサンプリング周波数を選択し決定する。
【０００７】
上記本発明によるサンプリング周波数・位相調整方法では、位相の複数の候補値の一つについてサンプリングクロックの周波数の適正値を探索し、所定探索範囲内で適正値が見つかればその適正値と候補値とを取得することを全ての候補値について繰り返し、適正値が見つかった候補値が最も長く連続している位相範囲の中間の候補値を位相として決定し、それに対応する適正値をサンプリングクロックの周波数として決定するので、最適なサンプリング周波数および位相を短時間で決定することが出来る。
【０００８】
第３の観点では、本発明は、アナログのビデオ信号をデジタルに変換してＬＣＤパネル駆動回路（Ａ）に送るＡ／Ｄ変換回路（Ｃ）へ供給するサンプリングクロック（Ｋ）を発生するサンプリングクロック発生手段（４）と、水平表示期間内のサンプリングクロック数（ＨＤ）をカウントする水平表示期間カウンタ（８）と、サンプリングクロック（Ｋ）の位相φの複数の候補値のそれぞれについて前記サンプリングクロック（Ｋ）の周波数の適正値を所定探索範囲内で探索し適正値が見つかればその適正値と候補値とを取得しそれら取得した候補値が最も長く連続している位相範囲の中間の候補値を位相として決定しそれに対応する適正値を前記サンプリングクロックの周波数として決定するサンプリングクロック制御手段（５）とを具備したことを特徴とするサンプリング周波数・位相調整装置を提供する。
上記第３の観点によるサンプリング周波数・位相調整装置では、上記第１の観点によるサンプリング周波数・位相調整方法を好適に実施できる。
【０００９】
第４の観点では、本発明は、アナログのビデオ信号をデジタルに変換してＬＣＤパネル駆動回路（Ａ）に送るＡ／Ｄ変換回路（Ｃ）へ供給するサンプリングクロック（Ｋ）を発生するサンプリングクロック発生手段（４）と、水平表示期間内のサンプリングクロック数（ＨＤ）をカウントする水平表示期間カウンタ（８）と、次の（ａ）から（ｇ）の手順によって前記サンプリングクロック（Ｋ）の周波数と位相とを決定するサンプリングクロック制御手段（５）とを具備したことを特徴とするサンプリング周波数・位相調整装置を提供する。
（ａ）サンプリングクロックの周波数をある初期値に設定する。
（ｂ）サンプリングクロックの位相をある候補値に設定する。
（ｃ）水平表示期間内の前記サンプリングクロックの数をカウントし、そのカウント値が目標値に一致したか否かを判定する。
（ｄ）第１の所定回数だけ連続して一致するか、第２の所定回数だけ一致しなくなるまで、上記（ｃ）を繰り返す。但し、前記カウント値が目標値と一致しなければ、次回の上記（ｃ）を行う前に、目標値に近づける方向に前記サンプリングクロックの周波数を変更する。
（ｅ）第１の所定回数だけ連続して一致したときのサンプリングクロックの周波数および位相を記憶する。
（ｆ）サンプリングクロックの位相の全ての候補値について、上記（ｃ）から（ｅ）を繰り返す。
（ｇ）一致した位相が最も長く連続している位相範囲の中間の位相とそれに対応するサンプリング周波数を選択し決定する。
上記第４の観点によるサンプリング周波数・位相調整装置では、上記第２の観点によるサンプリング周波数・位相調整方法を好適に実施できる。
【００１０】
第５の観点では、本発明は、ＬＣＤパネルと、ＬＣＤパネル駆動回路と、アナログのビデオ信号をデジタルに変換して前記ＬＣＤパネル駆動回路に送るＡ／Ｄ変換回路と、請求項３または請求項４に記載のサンプリング周波数・位相調整装置とを具備したことを特徴とするＬＣＤ装置を提供する。
上記第５の観点のＬＣＤ装置では、Ａ／Ｄ変換回路のサンプリングクロックの周波数と位相とを迅速に最適化できるので、画面上での水平方向の表示精度を高くすることが出来る。
【００１１】
【発明の実施の形態】
以下、図に示す実施形態により本発明をさらに詳細に説明する。なお、これにより本発明が限定されるものではない。
図１は、本発明の一実施形態にかかるＬＣＤにおけるサンプリング周波数・位相調整装置１００を示す構成図である。
このサンプリング周波数・位相調整装置１００は、例えばパソコンから送られたアナログのビデオ信号ＶＤ（Ｒ信号，Ｇ信号，Ｂ信号）をデジタルのビデオ信号ｒ，ｇ，ｂに変換するＡ／Ｄ変換器Ｃへ供給するサンプリングクロックＫを発生するＰＬＬ部４と、そのＰＬＬ部４が内蔵するプリスケーラ３にプリスケーラ値ｐを設定すると共にサンプリングクロックＫの位相φを設定するＣＰＵ５と、前記ビデオ信号ｒ，ｇ，ｂを合成する合成回路２と、図２に示すように水平同期周波数ｆｈおよび垂直同期周波数ｆｖごとの水平解像度ｉを格納する水平解像度テーブル６と、水平周期（図５のＴｈ）内のサンプリングクロック数をカウントする第１水平周期カウンタ７と、水平表示期間（図５のＴｄ）内のサンプリングクロック数をカウントする水平表示期間カウンタ８と、水平同期信号Ｈｓｙｎｃの同期パルスの立ち下がりから水平表示期間の開始までの水平バックポーチ（図５のＴｂ；水平方向の表示開始位置に対応する）内のサンプリングクロック数をカウントする水平バックポーチカウンタ９と、計時用パルスＳ（例えば２０ＭＨｚ）を発生する水晶発振器１０と、水平周期内の計時用パルス数をカウントする第２水平周期カウンタ１１と、垂直周期内の計時用パルス数をカウントする垂直周期カウンタ１２とを具備している。
なお、前記デジタルのビデオ信号ｒ，ｇ，ｂの伝送方式としては、各色のデータを１画素づつシリアルに伝送するシリアル伝送方式を採用してもよいし、複数画素のデータをパラレルに伝送するパラレル伝送方式を採用してもよい。
ＬＣＤ装置は、ＬＣＤパネルＰと、ＬＣＤパネル駆動回路Ａと、Ａ／Ｄ変換器Ｃと、上記サンプリング周波数・位相調整装置１００とを具備して構成される。
【００１２】
図３および図４は、このサンプリング周波数・位相調整装置１００によるサンプリング周波数および位相調整処理を示すフロー図である。
図５の（ａ）は、垂直同期信号Ｖｓｙｎｃの波形図である。（ｂ）は、水平同期信号Ｈｓｙｎｃの波形図である。（ｃ）は、画像表示に有効な波形期間を斜線領域として示したデジタルのビデオ信号ｒ，ｇ，ｂの説明図である。（ｄ）は、合成回路２から出力された合成信号の説明図である。（ｅ）は、サンプリングクロックＫの波形図である。
【００１３】
図３のステップＳ１では、サンプリングクロックＫの位相を示すクロックフェイズ番号ｎを“０”に初期化する。
ステップＳ２では、第２水平周期カウンタ１１にて計時用パルスＳをカウントし、水平周期Ｔｈを計測する。例えば、水平周期Ｔｈは、２８．４９μｓである。また、垂直周期カウンタ１２にて計時用パルスＳをカウントし、垂直周期Ｔｖを計測する。例えば、垂直周期Ｔｖは、１７．８５ｍｓである。
ステップＳ３では、水平同期周波数ｆｈ（＝１／Ｔｈ）および垂直同期周波数ｆｖ（＝１／Ｔｖ）を算出する。上記数値例では、水平同期周波数ｆｈは、３５．１ｋＨｚである。垂直同期周波数ｆｖは、５６Ｈｚである。
ステップＳ４では、水平解像度テーブル６（図２参照）から、水平同期周波数ｆｈおよび垂直同期周波数ｆｖに対応する水平解像度ｉを読み出す。上記数値例では、水平解像度ｉとして、“８００”が読み出される。
ステップＳ５では、水平解像度ごとのプリスケーラ値ｐの初期値が予め格納されたプリスケーラ初期値テーブル（図示せず）から、上記ステップＳ４で読み出された水平解像度ｉに対応するプリスケーラ値ｐを取り出し、ＰＬＬ部４に設定する（この設定により、ＰＬＬ部４からサンプリングクロックＫが出力される）。水平解像度ｉ＝８００に対応するプリスケーラ値ｐの初期値は、例えば“１０００”である。
ステップＳ６では、位相φ＝０を、ＰＬＬ部４に設定する。なお、位相φ＝０は、例えば、水平同期信号Ｈｓｙｎｃの同期パルスの立ち下がりと同時刻にサンプリングクロックＫが発生するクロックフェイズを意味する。
【００１４】
図４に進み、ステップＳ７では、第１水平周期カウンタ７にて水平周期Ｔｈ内のサンプリングクロック数ＨＣをカウントする。また、水平表示期間カウンタ８にて水平表示期間Ｔｄ内のサンプリングクロック数ＨＤをカウントする。
ステップＳ８では、プリスケーラ値ｐを、
ｐ＝ｉ×｛ＨＣ／ＨＤ｝
により算出し、ＰＬＬ部４に設定する。例えば、水平解像度ｉが８００，水平周期Ｔｈ内のサンプリングクロック数ＨＣが“１０００”，水平表示期間Ｔｄ内のサンプリングクロック数ＨＤが“７９９”のとき、ｐ＝１００１となる。
ステップＳ９では、水平表示期間Ｔｄ内のサンプリングクロック数ＨＤが水平解像度に連続して一致した回数をカウントするＯＫ連続数カウンタｎｏｋを“０”に初期化する。また、水平表示期間Ｔｄ内のサンプリングクロック数ＨＤが水平解像度に一致しなかった回数をカウントするＮＧ数カウンタｎｎｇを“０”に初期化する。
【００１５】
ステップＳ１０では、水平表示期間カウンタ８にて、水平表示期間Ｔｄ内のサンプリングクロック数ＨＤをカウントする。
ステップＳ１１では、水平表示期間Ｔｄ内のサンプリングクロック数ＨＤが水平解像度ｉと等しいならステップＳ１２へ進み、等しくなければステップＳ１５へ進む。
【００１６】
ステップＳ１２では、ＯＫ連続数カウンタｎｏｋが“４”以上でないならステップＳ１３へ進み、“４”以上ならステップＳ１４へ進む。
ステップＳ１３では、ＯＫ連続数カウンタｎｏｋを“１”だけインクリメントし、前記ステップＳ１０に戻る。
【００１７】
ステップＳ１４では、設定中の位相φを“ＯＫ”と判定し、設定中のプリスケーラ値ｐおよび位相φの“ＯＫ”を保存する。そして、ステップＳ１９へ進む。
【００１８】
ステップＳ１５では、ＮＧ数カウンタｎｎｇが“８”以上でないならステップＳ１６へ進み、“８”以上ならステップＳ１８へ進む。
ステップＳ１６では、新たなプリスケーラ値ｐをｐ＝ｐ’±１（ｐ’は設定し直す前のプリスケーラ値）により算出し、前記ＰＬＬ部４に設定し直す。すなわち、サンプリングクロック数ＨＤ＜水平解像度ｉならばプリスケーラ値ｐ＝ｐ’＋１とし、サンプリングクロック数ＨＤ＞水平解像度ｉならばプリスケーラ値ｐ＝ｐ’−１とする。例えば、ｐ’＝１０００，ｉ＝８００のとき、ＨＤ＝７９９ならばｐ＝１００１とし、ＨＤ＝８０１ならばｐ＝９９９とする。
ステップＳ１７では、ＯＫ連続数カウンタｎｏｋを“０”に初期化し、ＮＧ数カウンタｎｎｇを“１”だけインクリメントし、前記ステップＳ１０に戻る。
【００１９】
ステップＳ１８では、設定中の位相φを“ＮＧ”と判定し、設定中のプリスケーラ値ｐおよび位相φの“ＮＧ”を保存する。そして、ステップＳ１９へ進む。
【００２０】
ステップＳ１９では、クロックフェイズ番号ｎ≧１５か否か判定し、ｎ＜１５ならばステップＳ２０へ進み、ｎ≧１５となったらステップＳ２２へ進む。
ステップＳ２０では、クロックフェイズ番号ｎを“１”だけインクリメントする。
ステップＳ２１では、サンプリングクロックＫをその周期に対してｎ／１６だけずらせる（遅らせる）位相φを、ＰＬＬ部４に設定する。そして、上記ステップＳ７に戻る。
【００２１】
ステップＳ２２では、上記ステップＳ１４，Ｓ１８で得られた結果から、最適なプリスケーラ値ｐおよび位相φを決定し、前記ＰＬＬ部４に設定する。すなわち、上記ステップＳ１４で位相φが“ＯＫ”と連続して判定された回数が最大のクロックフェイズ番号ｎのグループ（クロックフェイズ番号ｎ＝１５と、ｎ＝０は連続していると見なす）の中でクロックフェイズ番号ｎが中間のもの（中間のものが２つあるときは、小さな方）に対応するプリスケーラ値ｐおよび位相φを最適値とする。例えば、図６のような結果が得られた場合には、ｎ＝１２に対応するプリスケーラ値“１０００”および位相φ（＝１２／１６周期遅れ）を最適値として決定する。また、図７のような結果が得られた場合には、ｎ＝１１に対応するプリスケーラ値“１０００”および位相φ（＝１１／１６周期遅れ）を最適値として決定する。
【００２２】
なお、ＣＰＵ５は、水平バックポーチカウンタ９のカウント値に基づいて画像表示位置制御信号をＬＣＤパネル駆動回路Ａに送り、画像を常に一定位置に表示する。
【００２３】
以上のサンプリング周波数・位相調整装置１００によれば、サンプリングクロックＫの位相φを１／１６周期ずつ順にずらせながら、水平表示期間Ｔｄ内のサンプリングクロック数ＨＤが水平解像度ｉに一致するようにプリスケーラ値ｐを変更することを繰り返すので、サンプリングクロックＫの最適な周波数および位相を短時間で決定することが出来る。
【００２４】
【発明の効果】
本発明のサンプリング周波数・位相調整方法、サンプリング周波数・位相調整装置およびＬＣＤ装置によれば、位相の複数の候補値の一つについてサンプリングクロックの周波数の適正値を探索し、所定探索範囲内で適正値が見つかればその適正値と候補値とを取得することを全ての候補値について繰り返し、それら取得した候補値が最も長く連続している位相範囲の中間の候補値を位相として決定し、それに対応する適正値を前記サンプリングクロックの周波数として決定するので、ＬＣＤ装置のＡ／Ｄ変換回路へ供給するサンプリング周波数および位相を短時間で最適の値に決定することが出来る。
【図面の簡単な説明】
【図１】本発明の一実施形態にかかるサンプリング周波数・位相調整装置を示す構成図である。
【図２】図１のサンプリング周波数・位相調整装置における水平解像度テーブルの内容を示す説明図である。
【図３】図１のサンプリング周波数・位相調整装置によるサンプリング周波数および位相調整処理を示すフロー図である。
【図４】図３の続きのフロー図である。
【図５】図１のサンプリング周波数・位相調整装置の各部の波形図である。
【図６】水平表示期間カウンタのカウント値が水平解像度と等しいか否かを示す判定結果の説明図である。
【図７】水平表示期間カウンタのカウント値が水平解像度と等しいか否かを示す判定結果の別の説明図である。
【図８】ＬＣＤにおける従来のサンプリング周波数・位相調整装置を示す構成図である。
【図９】水平同期信号およびビデオ信号を示す説明図である。
【符号の説明】
１００  サンプリング周波数・位相調整装置
２      合成回路
３      プリスケーラ
４      ＰＬＬ部
５      ＣＰＵ
６      水平解像度テーブル
７      第１水平周期カウンタ
８      水平表示期間カウンタ
９      水平バックポーチカウンタ
１０    水晶発振器
１１    第２水平周期カウンタ
１２    垂直周期カウンタ
Ｃ      Ａ／Ｄ変換器
Ａ      ＬＣＤパネル駆動回路
Ｋ      サンプリングクロック
Ｐ      ＬＣＤパネル
Ｔｂ    水平バックポーチ
Ｔｄ    水平表示期間
Ｔｈ    水平周期
Ｔｖ    垂直周期
Ｈｓｙｎｃ  水平同期信号
Ｖｓｙｎｃ  垂直同期信号
ＶＤ    ビデオ信号
【図１】
0003613725.tif 000002
【図２】
0003613725.tif 000003
【図３】
0003613725.tif 000004
【図４】
0003613725.tif 000005
【図５】
0003613725.tif 000006
【図６】
0003613725.tif 000007
【図７】
0003613725.tif 000008
【図８】
0003613725.tif 000009
【図９】
0003613725.tif 000010